(57)【要約】  マーケットデプス情報のスナップショットを補強するためのシステム、方法、ユーザインタフェースを提供する。アイコンや背景陰影等の視覚要素を使用し、マーケットデプス情報の第１スナップショット後、かつマーケットデプス情報の第２スナップショット前、に発生した取引を表示する。その取引を表示するために可聴信号を使うこともできる。
2008503839.tif 000002
【特許請求の範囲】
【請求項１】
ａ．マーケットデプス情報の第１スナップショットを表すデータを受け取り、
ｂ．マーケットデプス情報の前記第１スナップショットを含むグラフィカルユーザインタフェースを表示装置に表示し、
ｃ．前記（ａ）の所定期間後にマーケットデプス情報の第２スナップショットを表すデータを受け取り、
ｄ．前記（ａ）の後であって前記（ｃ）の前に、マーケットデプス情報の前記連続するスナップショット受け取り間に発生する少なくとも１つの取引に関する取引データを受け取り、
ｅ．前記グラフィカルユーザインタフェース上に前記取引データの表現を表示する、これら各段階をコンピュータ装置に実行させるためのコンピュータ実行可能命令を含んだコンピュータ読み取り可能媒体。
【請求項２】
前記取引データの表現は、価格の隣に配置したアイコンである、請求項１のコンピュータ読み取り可能媒体。
【請求項３】
前記取引データの表現は、前記グラフィカルユーザインタフェースの少なくとも価格セルの外観の代替である、請求項１のコンピュータ読み取り可能媒体。
【請求項４】
前記外観の代替は、背景色を変更することである、請求項１のコンピュータ読み取り可能媒体。
【請求項５】
前記変更する背景色は、前記取引が含む契約数に対応する、請求項４のコンピュータ読み取り可能媒体。
【請求項６】
前記外観の代替は少なくとも価格セルの一部の背景色を変更することであり、当該一部は前記少なくとも１つの取引が含む契約数の関数である、請求項３のコンピュータ読み取り可能媒体。
【請求項７】
前記（ｄ）は１以上の取引に関する取引データを受け取ることであり、前記（ｅ）は各取引の表現を前記グラフィカルユーザインタフェース上に表示することである、請求項１のコンピュータ読み取り可能媒体。
【請求項８】
各取引は、前記グラフィカルユーザインタフェースの価格セルの外観を変更することによって表現する、請求項７のコンピュータ読み取り可能媒体。
【請求項９】
比較的新しい取引は少なくとも第１価格セルの背景を第１色に変更して表現し、比較的新しくない取引は少なくとも第２価格セルの背景を第２色に変更して表現する、請求項８のコンピュータ読み取り可能媒体。
【請求項１０】
比較的多数の契約を含む取引は少なくとも第１価格セルの背景を第１色に変更して表現し、比較的少数の契約を含む取引は少なくとも第２価格セルの背景を第２色に変更して表現する、請求項８のコンピュータ読み取り可能媒体。
【請求項１１】
ｆ．前記（ｃ）の後にマーケットデプス情報の前記第２スナップショットを含みかつ前記取引データの表現を含まないグラフィカルユーザインタフェースを前記表示装置に表示する段階をコンピュータ装置に実行させるためのコンピュータ実行可能命令をさらに含んだ請求項１のコンピュータ読み取り可能媒体。
【請求項１２】
前記取引を表現する可聴音を音声装置に発生させるよう前記コンピュータ装置に命令するコンピュータ実行可能命令をさらに含んだ請求項１のコンピュータ読み取り可能媒体。
【請求項１３】
前記コンピュータ装置は移動端末である、請求項１のコンピュータ読み取り可能媒体。
【請求項１４】
ａ．マーケットデプス情報のスナップショットを定期的に受け取って表示し、
ｂ．マーケットデプス情報のスナップショット受け取り間に存在する時間間隔中に、マーケットデプス情報の最新スナップショット以降に発生する少なくとも１つの取引に関する取引データを受け取って表示する各段階を備えた、コンピュータシステムにおいて表示装置にマーケット情報を表示する方法。
【請求項１５】
前記（ｂ）は、取引詳細を識別するデータを受け取り、視覚要素によって当該取引を表現する、請求項１４の方法。
【請求項１６】
前記視覚要素はアイコンである、請求項１５の方法。
【請求項１７】
前記視覚要素は、少なくとも１セルの背景陰影である、請求項１５の方法。
【請求項１８】
可聴特性によって前記取引を表現することをさらに備えた、請求項１５の方法。
【請求項１９】
ａ．マーケットデプス情報のスナップショットを定期的に送信し、
ｂ．前記（ａ）においてスナップショット送信間に存在する時間間隔中に、マーケットデプス情報の最新スナップショット以降に発生する少なくとも１つの取引に関する取引情報を送信する各段階を備えた、取引所からマーケット情報を配信する方法。
【発明の詳細な説明】
【技術分野】
【０００１】
［１］
この出願は２００４年６月２２日出願の予備出願第１０／８７４，５６１号への優先権を主張する。この予備出願の全内容は参照によりここに組み込む。
【０００２】
技術分野
［２］
本発明は金融商品の取引に関連して使用するシステム、方法、ユーザインタフェースに関する。さらに詳しくは、本発明は最新スナップショット以降に発生する取引に関するマーケットデータおよび取引データのスナップショットを配信し表示するための機構を提供する。
【０００３】
背景技術
［３］
取引所はトレーダがハンドヘルド装置や大きめのコンピュータによって取引を行えるようにすることが一般的である。目まぐるしく変化する情報を、素早く理解して迅速に行動できるような形式で、トレーダに提供する試みがなされてきた。マーケットデプスデータのスナップショットは、取引所からハンドヘルド装置や大きめのコンピュータに定期的に送信される。
【０００４】
［４］
マーケットデプスデータを配信する従来方法の欠点は、スナップショットの定期的送信間にもマーケットデプスデータが変化するため、ユーザが正確なマーケットデプス情報を持てないことである。正確な情報がなければトレーダは実行不能な取引を決定しかねない。最新スナップショットの送信後にマーケットが動いてしまうからである。正確な情報が無いと、トレーダは本来しないような取引決定をしてしまうこともある。不正確なマーケットデプス情報に基づく決定は、トレーダに失望と損失をもたらす。
【０００５】
［５］
従ってこの分野には、より正確なマーケットデプス情報を提供するための機構を使用したシステム、方法、ユーザインタフェースの需要がある。
【０００６】
発明の概要
［６］
本発明は、従来技術の問題および限界の少なくとも一部を解決するため、マーケットデプス情報の最新スナップショット以降に発生する取引に関するデータを用いてマーケットデプス情報を強化するシステム、方法、ユーザインタフェースを提供する。マーケットデプス情報のスナップショットは、ある時点において未定である少なくともいくつかの注文に関する情報を含む。前記強化は、アイコンと、セルや列や行の背景色と、トレーダの視覚および聴覚に訴えるその他機構とを利用する。
【０００７】
［７］
本発明の様々な実施例は、その一部または全部をコンピュータ読み取り可能媒体にて実施できる。例えばコンピュータ実行可能命令やモジュールを格納することによって、あるいはコンピュータ読み取り可能データ構造を利用することによって実施可能である。
【０００８】
［８］
ここに開示する方法およびシステムは当然ながら、他の要素、ステップ、コンピュータ実行可能命令、コンピュータ読み取り可能データ構造を含むことができる。
【０００９】
［９］
本発明の実施例の詳細は添付図面および以下の説明で明らかにする。本発明のその他特徴および利点は、以下の説明、図面、請求の範囲から明らかとなろう。 
［１０］
本発明に基づく要素およびステップは、物理的形態を取る場合もある。本発明の実施例の詳細は、本明細書および添付図面に示す。
【００１０】
発明の詳細な説明
動作環境例
［１７］
本発明の各態様は、好ましくはコンピュータ装置およびコンピュータネットワークを利用し、ユーザが取引情報を交換できるようにする。取引システムおよび取引方法を実施するための取引ネットワーク環境の一例を図１に示す。
【００１１】
［１８］
取引所コンピュータシステム１００は、注文を受け取ると共に、注文および取引に関するマーケットデータをユーザに送信する。取引所コンピュータシステム１００は、１以上のメインフレームコンピュータ、デスクトップコンピュータ、その他コンピュータによって実現できる。ユーザデータベース１０２は、取引所コンピュータシステム１００のトレーダおよびその他ユーザを識別する情報を含む。そのデータはユーザ名やパスワードを含むことができる。アカウントデータモジュール１０４は、取引中に使用するアカウント情報を処理できる。照合エンジンモジュール１０６はビッド価格およびオファー価格を照合する。照合エンジンモジュール１０６は、１以上のアルゴリズムを実行することでビッドとオファーの照合を行うソフトウエアによって実現できる。取引データベース１０８は、取引の識別情報および取引の説明情報を格納する。特に取引データベースは、取引実行時間と契約価格とを特定する情報を格納する。オーダブックモジュール１１０は、現在のビッド価格およびオファー価格を計算あるいは決定する。マーケットデータモジュール１１２は、マーケットデータを収集し、ユーザに送信するデータを準備する。リスク管理モジュール１３４は、ユーザ定義リスク閾値に関連してユーザのリスク利用を計算し決定する。注文処理モジュール１３６は、デルタベース注文タイプおよびバルク注文タイプを分解し、オーダブックモジュール１１０と照合エンジンモジュール１０６とによる処理を可能にする。
【００１２】
［１９］
図１に示す取引ネットワーク環境は、コンピュータ装置１１４、１１６、１１８、１２０、１２２を含む。各コンピュータ装置は、コンピュータの全体動作を制御する中央処理装置と、この中央処理装置を１以上の従来要素に接続するシステムバスとを含む。従来要素とはネットワークカードやモデムである。各コンピュータ装置は、データやファイルを読み書きするための様々なインタフェース装置や駆動装置をさらに含む。コンピュータ装置のタイプに応じ、ユーザはキーボード、ポインティングデバイス、マイクロフォン、ペン装置等の入力装置を用いてコンピュータと対話できる。
【００１３】
［２０］
図示のコンピュータ装置１１４は、取引所コンピュータシステム１００に直接接続している。取引所コンピュータシステム１００とコンピュータ装置１１４とは、Ｔ１回線、共通ローカルエリアネットワーク（ＬＡＮ）、コンピュータ装置を接続するその他機構を介して接続しても良い。図においてコンピュータ装置１１４は無線１３２に接続している。無線１３２のユーザはトレーダあるいは取引所員である。この無線ユーザは、注文およびその他情報をコンピュータ装置１１４のユーザへ送信する。コンピュータ装置１１４のユーザは、取引情報およびその他情報を取引所コンピュータシステム１００へ送信できる。
【００１４】
［２１］
コンピュータ装置１１６、１１８はＬＡＮ１２４に接続する。ＬＡＮ１２４は１以上の周知ＬＡＮ構成を有し、イーサネット等の様々なプロトコルを使用できる。コンピュータ１１６、１１８は互いに通信できると共に、ＬＡＮ１２４に接続した他のコンピュータや装置と通信できる。コンピュータおよび他の装置は、ツイストペア線、同軸ケーブル、光ファイバ、その他媒体を介してＬＡＮ１２４に接続する。無線パーソナルデジタルアシスタント（ＰＤＡ）１２２は無線周波を介してＬＡＮ１２４またはインターネット１２６と通信できる。ＰＤＡ１２２は従来の無線ハブ１２８を介して取引所コンピュータシステム１００と通信できる。本明細書においてＰＤＡは、無線周波を介してネットワークと通信する移動電話等の他の無線装置を含む。
【００１５】
［２２］
図１においてＬＡＮ１２４はインターネット１２６に接続する。ＬＡＮ１２４はインターネット１２６に接続するためのルータを含んでも良い。図においてコンピュータ装置１２０は、インターネット１２６に直接接続している。この接続はモデム、ＤＳＬ回線、衛星アンテナ、コンピュータ装置をインターネットに接続するためのその他装置を経由しても良い。
【００１６】
［２３］
１以上のマーケットメーカ１３０は、デリバティブや証券に関して一定のビッド価格およびオファー価格を取引所コンピュータシステム１００に提供することにより、マーケットを維持する。取引所コンピュータシステム１００は、取引エンジン１３８等の他の取引エンジンと情報交換できる。当業者には明らかな通り、取引所コンピュータシステム１００には他の多くのコンピュータやシステムを接続できる。このようなコンピュータやシステムは、精算システム、管理システム、課金システムを含む。
【００１７】
［２４］
図１に示すコンピュータ装置およびシステムの動作は、コンピュータ読み取り可能媒体に格納したコンピュータ実行可能命令によって制御できる。例えばコンピュータ装置１１６は、ユーザから注文情報を受け取り、その注文情報を取引所コンピュータシステム１００へ送信するようなコンピュータ実行可能命令を含むことができる。また例えばコンピュータ装置１１８は、取引所コンピュータシステム１００からマーケットデータを受け取り、その情報をユーザに対して表示するようなコンピュータ実行可能命令を含むことができる。
【００１８】
［２５］
当然ながら他の様々なサーバ、コンピュータ、ハンドヘルド装置、パーソナルデジタルアシスタント、電話等の装置を取引所コンピュータシステム１００に接続しても構わない。また当業者には明らかな通り、図１に示す構成は一例に過ぎず、図１に示す各要素は他の様々な構成を用いても接続可能である。
【００１９】
実施例
［２６］
図２は本発明の一実施例に基づく、マーケット情報を処理し表示する方法を示す。この方法はコンピュータ読み取り可能媒体に記録したコンピュータ読み取り可能命令として実行できる。コンピュータ読み取り可能媒体は例えば光ディスク、ＲＡＭメモリモジュール、ＲＯＭメモリモジュールである。まずステップ２０２においてマーケットデプス情報の第１スナップショットを表すデータを受け取る。マーケットデプス情報のスナップショットは、固定期間におけるマーケットの状態を表す。この情報はデスクトップコンピュータ、移動端末、取引所で金融商品を取引するために使用するその他装置、にて受信できる。マーケットデプス情報は、マーケットデプス情報のスナップショットを配信するために使用する従来形式でフォーマットできる。情報を受け取った後、ステップ２０４にてマーケットデプス情報の第１スナップショットを含むグラフィカルユーザインタフェースを表示装置に表示する。
【００２０】
［２７］
図３は一例としてのグラフィカルユーザインタフェース３００を示す。本発明の一実施例はこれを使用してマーケットデプス情報を表示し、トレーダに金融商品の取引を可能にする。グラフィカルユーザインタフェース３００は金額数量表３０２を含む。金額数量表３０２は例えば５列を有する。買い（Ｂ）列３０４は、ユーザの実行中買い注文数量を表示する。ここでユーザとはトレーダでも良い。ヒット（Ｈ）列３０６は、マーケットビッド数量を表示する。各行に対する価格は価格列３０８に表示する。買付（Ｔ）列３１０は、マーケット買付数量を表示する。売り（Ｓ）列３１２は、ユーザの実行中売り注文数量を表示する。各入力は、色付けすることでユーザが表示情報を迅速に理解できるようにしても良い。例えば買い列３０４とヒット列３０６との入力を青色にし、買付列３１０と売り列３１２との入力を赤色にしても良い。
【００２１】
［２８］
ステップ２０４においてマーケットデプス情報の第１スナップショットを表示した後、追加の取引データを受け取ったか否かを決定する。この取引データは、取引所や他のマーケットデータ源が送信しステップ２０２で受け取ったマーケットデプス情報の第１スナップショット以降かつ当該取引所や他のマーケットデータ源からの次のマーケットデプス情報のスナップショット以前に発生する１以上の取引に関する取引データである。そのようなデータを受け取っていれば、ステップ２０８はその取引データを表すグラフィカルユーザインタフェースを表示する。
【００２２】
［２９］
様々な視覚的機構を使用して受信取引データを表現できる。例えば図３は価格の隣に置いたアイコン３１４を示す。アイコン３１４は、マーケットデプス情報の第１スナップショット送信後、価格８３５７５にて行った取引を示す。この情報によりユーザは、マーケットデプス情報の第１スナップショットのあと、この価格において発生した取引を迅速に知ることができる。
【００２３】
［３０］
図４は本発明の一実施例に基づく、取引データを表示するための他の機構を示す。特に行４０２の背景の外観を変更し、指示価格にて発生した取引を示す。一実施例においては、行４０２の背景色を変更して取引を示す。使用する色は、取引が含む契約数の関数とすることができる。例えば赤色は１０以上の契約が取引されたことを示し、オレンジ色は５から９の契約が取引されたことを示し、黄色は１から４の契約が取引されたことを示せる。
【００２４】
［３１］
図５は本発明のさらに別の実施例を示す。この実施例の場合、マーケットデプス情報の第１スナップショットを受け取った後、複数の取引に関する取引データを受け取る。セル５０２の背景は第１視覚特性を有し、セル５０４の背景は第２視覚特性を有する。これら特性は色および／またはパターンを含み、それらを選択することで関連取引のタイミングを示せる。例えば赤色は最新の取引価格を示し、オレンジ色は２番目に新しい取引価格を示し、黄色は３番目に新しい取引価格を示せる。図５の実施例は、各行ではなく各セルの背景を変更して取引データを示す。図４の実施例の変更形態として、行４０２の背景を変更する代わりに、セル４０４および／またはセル４０６の背景を変更しても良い。
【００２５】
［３２］
図６は本発明のさらに別の実施例を示す。この実施例は、セル６０２の背景の一部を変更することで、マーケットデプス情報の最新スナップショット送信後に取引のあった契約数を示す。セル６０２の背景の約５０％に陰影を付け、未決注文の５０％が実行されたことを表わす。もちろんこの特別の陰影機構をセル６０４や、セル６０２と６０４を含む行全体に適用しても構わない。また複数価格にて取引が発生した場合、複数セルや複数行の背景を部分的に陰影付けても良い。
【００２６】
［３３］
図２に戻り、グラフィカルユーザインタフェースに取引データを表示したあと、あるいはステップ２０６にて取引データを受け取らなかった時、ステップ２１０に進んでマーケットデプス情報の第２スナップショットに関するデータを受け取る。次にステップ２１２において、マーケットデプス情報の第２スナップショットを含むグラフィカルユーザインタフェースを表示装置に表示する。マーケットデプス情報の第２スナップショットは、マーケットデプス情報の第１スナップショット以降に発生する全ての取引に関するデータを含む。すなわちステップ２０６において受け取る取引データも含む。従ってステップ２０８において取引データを表現するために使用したアイコン、背景陰影、その他視覚特性は、マーケットデプス情報の更新スナップショットを受け取った時点で削除できる。
【００２７】
［３４］
本発明の他の実施例において、前記した視覚機構に代えてあるいはそれに加えて、可聴信号を使用できる。例えば取引データを表すために音を使用できる。高い周波数を持つ音、あるいは大きな音量の音は大きな契約数に対応させることができる。他の例として第１音はビッド価格にての取引を表し、第２音は呼び値での取引を表し、第３音は呼び値を超える取引を表し、第４音はビッド価格を下回る取引を表すことができる。さらに表示範囲上限／下限を超えたとき用の音を使用しても良い。
【００２８】
［３５］
本発明の各態様は、２００４年５月３日出願の同一出願人による米国特許出願（整理番号第００６１１９．０００１４号）「トレーダ・ステーション・ユーザインタフェース」に開示したグラフィカルユーザインタフェースに関連して使用しても良い。この同一出願人による出願の全内容は参照によりここに組み込む。
【００２９】
［３６］
特定の実施例に関連して本発明を説明してきたが、当業者には明らかな通り、本発明の原理を利用することにより、請求の範囲に記述した本発明の要旨および範囲を逸脱することなく、本発明には変更、他の実施例、修正等が可能である。これら変更等の全ては本発明の精神および範囲内にあると思慮される。
【図面の簡単な説明】
【００３０】
［１１］
【図１】本発明の各態様を実施する上で使用可能なコンピュータネットワークシステムを示す。
【００３１】
［１２］
【図２】本発明の一実施例に基づく、マーケット情報を処理し表示する方法を示す。
【００３２】
［１３］
【図３】本発明の一実施例に基づく、マーケットデプス情報を表示することでトレーダに金融商品の取引を可能にするグラフィカルユーザインタフェースの例を示す。
【００３３】
［１４］
【図４】本発明の一実施例に基づく、取引データを表示するために背景陰影を使用した例を示す。
【００３４】
［１５］
【図５】本発明の一実施例に基づく、マーケットデプス情報の第１スナップショットに関するデータ受信後に、複数取引に関する取引データを受け取る例を示す。
【００３５】
［１６］
【図６】本発明の一実施例に基づく、セル背景の一部を変化させることにより、マーケットデプス情報の最新スナップショット送信後の取引における契約数を表示した例を示す。
【図１】
2008503839.tif 000003
【図２】
2008503839.tif 000004
【図３】
2008503839.tif 000005
【図４】
2008503839.tif 000006
【図５】
2008503839.tif 000007
【図６】
2008503839.tif 000008
【国際調査報告】
2008503839.tif 000009